(57)【要約】【課題】  先行スクリュー軸と後行スクリュー軸とを分離した後、再び接続したとき、両スクリュー軸の圧力油供給管がグラウト供給管内に残留するグラウトをかみ込んで接続されることがないように改善する。【解決手段】  先行の掘削作業軸の上端にオス継手を、後行の掘削作業軸の下端にメス継手をそれぞれ設け、両掘削作業軸内部に、一種の使用流体供給路と、その内側に他種の使用流体供給路とを同心的にそれぞれ縦通し、上記先行掘削作業軸では、上記外側の流体供給路上端をオス継手上端まで、上記内側の流体供給路上端をオス継手上端の若干下位までそれぞれ延長し、  上記オス継手の外側面に、上記内側流体供給路上端から適宜下位にあって、上記外側流体供給路と開通するオーバーフロー口を開設し、  上記オーバーフロー口に、上記オス継手のメス継手への嵌合により該オーバーフロー口を閉止し、離脱により開放する開閉手段を備えた、掘削作業軸の軸継手。【選択図】    図１
2005248592.tif 000002
【特許請求の範囲】
【請求項１】
接続すべき両掘削作業軸のうち先行の掘削作業軸の上端にオス継手を、後行の掘削作業軸の下端にメス継手をそれぞれ設け、両掘削作業軸内部に、一種の使用流体供給路と、その内側に他種の使用流体供給路とを互に同心的にそれぞれ縦通し、上記先行掘削作業軸では、上記外側の流体供給路上端をオス継手上端まで、上記内側の流体供給路上端をオス継手上端まで又は若干下位までそれぞれ延長した構成において、
上記オス継手の外側面に、上記内側流体供給路上端から適宜下位にあって、上記外側流体供給路と開通するオーバーフロー口を開設し、
上記オーバーフロー口に、上記オス継手のメス継手への嵌合により該オーバーフロー口を閉止し、離脱により開放する開閉手段を備えた、
掘削作業軸の軸継手。
【発明の詳細な説明】
【技術分野】
【０００１】
本発明は、グラウト、圧力油、圧力水等の複数種の使用流体の供給路を軸内に同心的に縦通してなる拡大ヘッドつき掘削スクリュー軸、ボーリング軸等の掘削作業軸の軸継手に関する。
【背景技術】
【０００２】
従来、例えば、球根造成用拡大ヘッドつき掘削スクリュー軸の継ぎ足し用軸継手として、図５（イ）に示すように、接続すべき両スクリュー軸（Ａ）、（Ａ’）のうち、先行のスクリュー軸（Ａ）上端部にオス継手（ａ）を、後行のスクリュー軸（Ａ’）下端部に上記オス継手と嵌合すべきメス継手（ａ’）をそれぞれ設け、両スクリュー軸（Ａ）、（Ａ’）内には、グラウト供給路（ｂ）、（ｂ’）と、その内側に先端にカプラー（ｄ）、（ｄ’）をもつ圧力油供給管（ｃ）、（ｃ’）をそれぞれ同心的に縦通した構造のもので、継ぎ足し接続においては、同図（ロ）に示すように先行スクリュー軸（Ａ）を地中に垂直に建込んだ状態で、そのオス継手（ａ）に新たなスクリュー軸（Ａ’）のメス継手（ａ’）を被嵌すると共に、グラウト供給路（ｂ）、（ｂ’）の両端をパッキングをはさんで連通し、圧力油供給管（ｃ）、（ｃ’）のカプラー（ｄ）、（ｄ’）を接続するものが知られている。
【０００３】
しかし、先行スクリュー軸（Ａ）における圧力油供給管（ｃ）上端のカプラー（ｄ）は、上記のような接続作業や輸送時に他物に触れて破損することがないように、図示のようにオス継手（ａ）の上端面から若干グラウト供給路（ｂ）内に後退させており、このような構造を採っているために、球根造成作業後、後行スクリュー軸（Ａ’）のメス継手（ａ’）を先行スクリュー軸（Ａ）のオス継手（ａ）から離脱したとき、上記オス継手（ａ）における圧力油供給管（ｃ）のカプラー（ｄ）がグラウト供給路（ｂ）内の残留グラウト液や地中からの流入湧水に液没し、再びオス、メス継手を接続したとき、上記カプラー（ｄ）、（ｄ’）がグラウト等をかみ込み、これが圧力油供給管（ｃ）、（ｃ’）内に異物として混入して油圧系に不具合を生じさせる危険があった。
【発明の開示】
【発明が解決しようとする課題】
【０００４】
本発明は、後行スクリュー軸のメス継手を先行スクリュー軸のオス継手から離脱した後再びオス、メス継手を接続したとき上記圧力油供給管のカプラーが残留グラウトをかみ込むことがないように改善することを課題とする。
【課題を解決するための手段】
【０００５】
そこで、本発明は、
接続すべき両掘削作業軸のうち先行の掘削作業軸の上端にオス継手を、後行の掘削作業軸の下端にメス継手をそれぞれ設け、両掘削作業軸内部に、一種の使用流体供給路と、その内側に他種の使用流体供給路とを互に同心的にそれぞれ縦通し、上記先行掘削作業軸では、上記外側の流体供給路上端をオス継手上端まで、上記内側の流体供給路上端をオス継手上端まで又は若干下位までそれぞれ延長した構成において、
上記オス継手の外側面に、上記内側流体供給路上端から適宜下位にあって、上記外側流体供給路と開通するオーバーフロー口を開設し、
上記オーバーフロー口に、上記オス継手のメス継手への嵌合により該オーバーフロー口を閉止し、離脱により開放する開閉手段を備えた、
掘削作業軸の軸継手を提案する。
【発明の効果】
【０００６】
本発明の掘削作業軸の軸継手によれば、先行掘削作業軸のオス継手から後行掘削作業軸のメス継手を離脱したとき、該オス継手のオーバーフロー口が開いて外側流体供給路内の残留流体や地中からの流入湧水を該オーバーフロー口から直ちに外部へ溢出することができ、それにより再び上記オス、メス継手を接続したとき、各継手がわの内側流体供給路を残留グラウトをかみ込むことなく接続することができる。従って上記外側流体供給路をグラウト供給路に、内側流体供給路を圧力油供給路に使用した場合には、異物混入により油圧系に不具合を生じさせる危険を防止することができるのである。
【発明を実施するための最良の形態】
【０００７】
本発明における上記オーバーフロー口の「開閉手段」には、メス継手の嵌合内面によりシール材を介して開閉するもの、オーバーフロー口に蓋を取りつけ、メス継手の嵌合内面により該蓋を開閉させるもの、その他種々の構造のものが使用される。
【実施例】
【０００８】
（実施例１）
図１において、先行の掘削スクリュー軸（１）は、下端部に掘削ヘッド及び開閉自在の拡大翼（図示略）を有するもので、その上端に、六角軸のプラグ（３）及びその先端部の丸軸（４）からなるオス継手（２）を同一軸心線上に突設し、これに接続すべき後行のスクリュー軸（１’）は、その下端に、上記オス継手と嵌脱自在の六角孔のソケット（３’）及びその奥部の丸孔（４’）からなるメス継手（２’）を同一軸心線上に突設してある。
【０００９】
上記先行掘削スクリュー軸（１）の内部からオス継手（２）の内部には、連続するグラウト供給路（５）を軸心線上に縦通すると共に、該グラウト供給路（５）内部に圧力油供給管（６）を同心的に縦通し、該圧力油供給管（６）の上端に接続されたオスカプラー（７）を、該オスカプラー（７）上端を上記オス継手（２）上端からグラウト供給路（５）内に若干後退させた状態で、ホルダー（８）により保持してある。
【００１０】
上記後行スクリュー軸（１’）の内部にはグラウト供給路（５’）を軸心線上に縦通すると共に、その下端をパッキング（９）を経てメス継手（２’）内に開口し、該グラウト供給路（５’）内部に圧力油供給管（６’）を同心的に縦通し、該圧力油供給管（６’）の下端に接続されたメスカプラー（７’）を、上記丸孔（４’）内に位置させた状態で、ホルダー（８’）により保持してある。上記オス、メスカプラー（７）、（７’）は、互に差し合わせたときは内部の各弁を開いて圧力油供給管（６）、（６’）を連通させ、離脱したときは各弁を閉じるようにした従来周知のものである。（１０）、（１０）は上記オス継手（２）の外側面に設けた半円弧状のコッター溝、（１０’）、（１０’）は上記メス継手（２’）に貫通したコッター孔である。
【００１１】
上記のような構造のオス継手（２）において、その丸軸（４）に、上記圧力油供給管（６）のオスカプラー（７）上端から適宜下位にあって、上記丸軸（４）外周面からグラウト供給路（５）内に開通するオーバーフロー口（１１）を開設すると共に、上記丸軸（４）の外周面に、図２に示すように上記オーバーフロー口（１１）をはさんで上下２本の環状溝（１２）、（１２）を形成し、両環状溝（１２）、（１２）にゴム、合成樹脂等弾性材からなる弾性シールリング（１３）、（１３）を一部を丸軸（４）外周面から突出させた状態に支持してある。
【００１２】
上例の作用を次に説明する。地中に垂直に建込んだ先行掘削スクリュー軸（１）のオス継手（２）に、図１（ロ）に示すように継ぎ足すべきスクリュー軸（１’）のメス継手（２’）を被嵌すると、圧力油供給管（６）、（６’）のオス、メスカプラー（７）、（７’）が差し合って両供給管（６）、（６’）を接続すると共に、上記オス継手（２）の上端面がメス継手最奥部のパッキング（９）に圧接して両グラウト供給管（５）、（５’）を接続し、さらにオーバーフロー口（１１）が、メス継手（２’）の丸孔（４’）内周面と、該内周面に圧接するシールリング（１３）、（１３）とによって閉成される。コッター孔（１０’）、（１０’）及びコッター溝（１０）、（１０）にコッターを差しこんで両継手（１）、（１’）を接続する。
【００１３】
継ぎ足した掘削スクリュー軸（１）、（１’）により所定深さに掘進し、そこで圧力油供給管（６’）、（６）を通じて圧力油を送って拡大翼を拡開し、該拡開拡大翼により拡大掘削を行いつつ、グラウト供給路（５’）、（５）を通じてグラウトを注入して拡大球根の造成を行う。
【００１４】
作業後、スクリュー軸（１）、（１’）を引き抜き、まずコッターを引き抜いた後メス継手（２’）をオス継手（２）から離脱すると、オス継手（２）のオーバーフロー口（１１）が開口してグラウト供給路（５）内に残留していたグラウト液や流入湧水を外部に溢出する。かくして、オス、メスカプラー（７）、（７’）の再接続時にグラウト等をかみ込み、油圧系に異物として混入させることがなくなる。
【００１５】
（実施例２）
図３、４に示す他の実施例は、オス継手（２ａ）における六角軸プラグ（３ａ）の一外側平坦面にピット（１４ａ）を形成し、該ピット（１４ａ）内に、グラウト供給路（５ａ）内に開通するオーバーフロー口（１１ａ）を開設すると共に、該オーバーフロー口（１１ａ）のピットがわ口縁部に弾性環状パッキング（１５ａ）を装着し、一方上記ピット（１４ａ）内における上記オーバーフロー口（１１ａ）の一側に一対のブラケット（１６ａ）、（１６ａ）を突設し、該ブラケット（１６ａ）、（１６ａ）に、内面にシール材（１８ａ）を貼り、外面にアーム（１９ａ）、（１９ａ）を固定してなる円形蓋板（１７ａ）を、そのアーム（１９ａ）、（１９ａ）においてピン（２０ａ）により、上記シール材（１８ａ）を上記パッキング（１５ａ）に接離するように、揺動自在に支持すると共に、ひげバネ（２１ａ）、（２１ａ）により蓋板（１７ａ）を常時開放方向に弾発してあり、又上記蓋板（１７ａ）は、オス継手（２ａ）にメス継手（２ａ’）を被嵌したとき、メス継手（２ａ’）のソケット（３ａ’）内側面に押されてピット（１４ａ）内に後退する共にパッキング（１５ａ）に圧接する位置関係にある。他の構造は図１と実質的に同一である。
【００１６】
本例によれば、オス継手（２ａ）にメス継手（２ａ’）を被嵌すれば、上記蓋板（１７ａ）がメス継手（２ａ’）のソケット（３ａ’）内側面に押されてオーバーフロー口（１１ａ）を閉じ、オス継手（２ａ）からメス継手（２ａ’）を離脱したときは、蓋板（１７ａ）がバネ（２１ａ）、（２１ａ）の弾発力により外方へ揺動してオーバーフロー口（１１ａ）を開き、それによりグラウト供給路（５ａ）に残留するグラウト液等をオーバーフロー口（１１ａ）から溢出するのである。
【図面の簡単な説明】
【００１７】
【図１】（イ）本発明による軸継手の離脱状態の縦断面図である。（ロ）同上接続状態の縦断面図である。
【図２】図１（イ）におけるオーバーフロー口部分の拡大図である。
【図３】（イ）軸継手の他の実施例の離脱状態の縦断面図である。（ロ）同上接続状態の縦断面図である。
【図４】（イ）図３（イ）における蓋板部分の拡大図である。（ロ）蓋板部分の拡大正面図である。
【図５】（イ）従来軸継手の離脱状態の縦断面図である。（ロ）同上接続状態の縦断面図である。
【符号の説明】
【００１８】
１、１ａ  先行掘削スクリュー軸
１’、１ａ’  後行スクリュー軸
２、２ａ  オス継手
２’、２ａ’  メス継手
５、５’、５ａ、５ａ’  グラウト供給路
６、６’、６ａ、６ａ’  圧力油供給管
１１、１１ａ  オーバーフロー口
１７ａ  蓋板
【図１】
2005248592.tif 000003
【図２】
2005248592.tif 000004
【図３】
2005248592.tif 000005
【図４】
2005248592.tif 000006
【図５】
2005248592.tif 000007